(57)【特許請求の範囲】
【請求項１】
液体内で浸出するための物質を収容するフィルターバッグ（１）であって、ある分量の前記物質を保持するための上部接合部（４）及び底部接合部（５）により封着される少なくとも１つの区画（３）を備える収容チャンバー（２）と、該フィルターバッグ（１）を持ち上げるためのピックアップタグ（６）と、前記収容チャンバー（２）の外側に巻かれて該収容チャンバー（２）の周囲に沿って延びる糸状部分（７）とを有し、該糸状部分の一方の端部が前記ピックアップタグ（６）に接続され、もう一方の端部が前記収容チャンバー（２）の上部（１５）に接続される、フィルターバッグ（１）において、
前記糸状部分（７）は、該糸状部分（７）が取付けられる前記収容チャンバー（２）の前記周囲よりも長く、前記糸状部分（７）の前記周囲を超過する過剰部分（８）は、浸出するための前記物質の前記収容チャンバー（２）の外側に寄せ集められ、
前記糸状部分（７）は、前記収容チャンバー（２）の前記区画（３）の１つに収容された第２ループ（１１）を有し、該第２ループ（１１）は、前記区画（３）から突き出る複数の端部（１２ａ、１２ｂ）を有し、該複数の端部の一方の端部（１２ａ）は前記上部接合部（４）に向かい、前記複数の端部のもう一方の端部（１２ｂ）は、前記第２ループ（１１）を収容する前記区画（３）の側壁（１６）を通ることを特徴とするフィルターバッグ。
【請求項２】
前記収容チャンバー（２）は、ある分量の前記物質の各々のための２つの区画（３）を有し、該２つの区画（３）は、互いに対向し、前記上部接合部（４）及び前記底部接合部（５）にて互いに接合されることを特徴とする請求項１に記載のフィルターバッグ。
【請求項３】
前記糸状部分（７）の前記過剰部分（８）は、前記糸状部分（７）の残りの部分に比べて緩い状態であり、該残りの部分は、対照的に、前記収容チャンバー（２）の前記周囲に沿って緩みなく張られた状態であることを特徴とする請求項１又は２に記載のフィルターバッグ。
【請求項４】
前記糸状部分（７）の前記過剰部分（８）が、少なくとも１つの第１巻きループ（１０）を形成することを特徴とする請求項３に記載のフィルターバッグ。
【請求項５】
前記過剰部分（８）が、前記第１巻きループ（１０）を複数有することを特徴とする請求項４に記載のフィルターバッグ。
【請求項６】
前記糸状部分（７）の前記過剰部分（８）が、前記フィルターバッグ（１）の前記ピックアップタグ（６）に取付けられることを特徴とする請求項１〜５のいずれか１項に記載のフィルターバッグ。
【請求項７】
前記ピックアップタグ（６）が、互いに対して折り重ね可能な少なくとも２つのフラップ（９ａ、９ｂ）を有する請求項６に記載のフィルターバッグ（１）において、
前記糸状部分（７）の前記過剰部分（８）が、前記ピックアップタグ（６）の前記フラップ（９ａ、９ｂ）の間に保持されることを特徴とするフィルターバッグ。
【請求項８】
前記ピックアップタグ（６）は接着材の層を有し、それにより該ピックアップタグ（６）の前記フラップ（９ａ、９ｂ）は、互いに貼り付け可能であるとともに、前記糸状部分（７）の前記過剰部分（８）を前記フラップ（９ａ、９ｂ）の間に取外し可能に固定できることを特徴とする請求項７に記載のフィルターバッグ。
【請求項９】
前記接着材の層が、適当な熱により活性化可能であることを特徴とする請求項８に記載のフィルターバッグ。
【請求項１０】
前記ピックアップタグ（６）が、該ピックアップタグ（６）と前記収容チャンバー（２）との間のシール（１３）によって、該収容チャンバー（２）に接続されることを特徴とする請求項１〜９のいずれか１項に記載のフィルターバッグ。
【請求項１１】
前記ピックアップタグ（６）及び前記第２ループ（１１）は、前記収容チャンバー（２）の１つ又は複数の前記区画（３）が有する互いに反対側の側壁（１６）にそれぞれ取付けられることを特徴とする請求項１〜１０のいずれか１項に記載のフィルターバッグ。
【請求項１２】
前記ピックアップタグ（６）及び前記第２ループ（１１）は、前記収容チャンバー（２）が有する２つの別々の区画（３）にそれぞれ取付けられることを特徴とする請求項１〜１０のいずれか１項に記載のフィルターバッグ。
【請求項１３】
前記収容チャンバー（２）は、内側に曲がる基礎部（１４）を有することを特徴とする請求項１〜１２のいずれか１項に記載のフィルターバッグ。
【請求項１４】
前記基礎部（１４）がＶ字形状であることを特徴とする請求項１３に記載のフィルターバッグ。
【請求項１５】
液体内で浸出するための物質を収容するフィルターバッグ（１）の作製方法において、
ウエブ状フィルター紙（１７）と、該ウエブ状フィルター紙（１７）の長手方向にかつ該ウエブ状フィルター紙（１７）に対向して配置された木綿製の糸（３１）と、前記ウエブ状フィルター紙（１７）に沿って予め定めた間隔（３２）にて連続的に配置された複数のピックアップタグ（６）とを、互いに平行にかつ予め定めた方向（３０）に送るステップと、
前記糸（３１）に、前記ピックアップタグ（６）の前記間隔（３２）に対応する間隔（３３）だけ離れた複数の第１巻きループ（１０）を連続的に形成するステップと、
前記第１巻きループ（１０）を前記ピックアップタグ（６）に接続し、該ピックアップタグ（６）を前記ウエブ状フィルター紙（１７）に接続するステップと、
初めは互いに反対側にあった前記ウエブ状フィルター紙（１７）のエッジ（１８）が重ね合わされて、チューブ状フィルター紙（３４）が徐々に形成されるように、前記ウエブ状フィルター紙（１７）を自らに重なるように折るステップと、
前記チューブ状フィルター紙（３４）が完全に形成される前に、ある分量の浸出用の複数の前記物質（１９）を前記ウエブ状フィルター紙（１７）上に連続的に乗せるステップと、
前記チューブ状フィルター紙（３４）の長手方向の前記エッジ（１８）を互いに接合するステップと、
前記ピックアップタグ（６）の上流側及び下流側で前記チューブ状フィルター紙（３４）に、少なくとも１つのある分量の浸出用の前記物質（１９）を収容する複数の封着された収容チャンバー（２）を連続して画定するように構成された複数の対の横断方向接合部（２０）を形成するステップと、
前記複数の対の横断方向接合部（２０）の間の前記糸状部分を前記チューブ状フィルター紙（３４）に固定するステップと、
を有することを特徴とするフィルターバッグの作製方法。
【請求項１６】
前記ウエブ状フィルター紙（１７）が感熱接着材の層を有する請求項１５に記載のフィルターバッグの作製方法において、
前記チューブ状フィルター紙（３４）の前記長手方向のエッジ（１８）が、前記ウエブ状フィルター紙（１７）上の前記感熱接着材の層の熱による活性化によって接合されることを特徴とする作製方法。
【請求項１７】
前記ウエブ状フィルター紙（１７）が感熱接着材の層を有する請求項１５又は１６に記載のフィルターバッグの作製方法において、
前記複数の対の横断方向接合部（２０）が、前記ウエブ状フィルター紙（１７）上の前記感熱接着材の層の熱による活性化によって形成されることを特徴とする作製方法。
【請求項１８】
前記ウエブ状フィルター紙（１７）が感熱接着材の層を有する請求項１５〜１７のいずれか１項に記載のフィルターバッグの作製方法において、
前記複数の対の横断方向接合部（２０）の間の前記糸状部分を前記チューブ状フィルター紙（３４）に固定する前記ステップが、前記感熱接着材の層の熱による活性化によって行われることを特徴とする作製方法。
【請求項１９】
互いに折り重ね可能な２つのフラップ（９ａ、９ｂ）を前記ピックアップタグ（６）が有する請求項１５〜１８のいずれか１項に記載のフィルターバッグの作製方法において、
前記第１巻きループ（１０）は、前記ピックアップタグ（６）の第１フラップ（９ａ）において前記ピックアップタグ（６）に取付けられ、前記作製方法は、前記ピックアップタグ（６）の第２フラップ（９ｂ）が前記第１巻きループ（１０）に重なりかつ前記ピックアップタグ（６）の前記第１フラップ（９ａ）に接続されるように、前記第２フラップ（９ａ）を配置する折り重ねステップを含むことを特徴とする作製方法。
【請求項２０】
前記ピックアップタグ（６）が感熱接着材の層を有する請求項１９に記載のフィルターバッグの作製方法において、
複数の前記フラップ（９ａ、９ｂ）が前記感熱接着材の熱による活性化によって互いに接続されることを特徴とする作製方法。
【請求項２１】
前記ピックアップタグ（６）に折目をつけて、第２フラップ（９ｂ）に対する第１フラップ（９ａ）の折り重ねを容易にするための折線（２１）を形成するステップをさらに有することを特徴とする請求項１５〜２０のいずれか１項に記載の作製方法。
【請求項２２】
前記ピックアップタグ（６）を前記チューブ状フィルター紙（３４）に取付けるステップが、前記感熱接着材の層の熱による活性化によって行われることを特徴とする請求項１５〜２１のいずれか１項に記載の作製方法。
【請求項２３】
前記ピックアップタグ（６）から予め定めた距離において前記ウエブ状フィルター紙（１７）を切ってスリット（２２）を形成するステップと、
該スリット（２２）に前記糸（３１）を通して、前記ウエブ状フィルター紙（１７）における前記糸（３１）が接する側とは反対側から突き出る第２ループ（１１）を形成するステップと、
をさらに有することを特徴とする請求項１５〜２２のいずれか１項に記載の作製方法。
【請求項２４】
前記チューブ状フィルター紙（３４）が形成されている間に、前記第２ループ（１１）が前記ウエブ状フィルター紙（１７）の凹部に収容されることを特徴とする請求項２３に記載の作製方法。
【請求項２５】
前記第２ループ（１１）及び前記ウエブ状フィルター紙（１７）を互いに接するように取付けるステップをさらに有することを特徴とする請求項２３又は２４に記載の作製方法。
【請求項２６】
前記第２ループ（１１）及び前記ウエブ状フィルター紙（１７）を互いに接するように取付ける前記ステップは、前記ピックアップタグ（６）が前記ウエブ状フィルター紙（１７）に取付けられる前に行われることを特徴とする請求項２５に記載の作製方法。
【請求項２７】
前記収容チャンバー（２）が隣接する２つの区画（３）に分割される請求項１５〜２６のいずれか１項に記載のフィルターバッグの作製方法において、
前記区画（３）が互いに重なり合うように該区画（３）を折るステップであって、前記糸（３１）が前記収容チャンバー（２）の周囲全体に巻かれ、それにより前記ピックアップタグ（６）と該ピックアップタグ（６）に接続された第１巻きループ（１０）とが前記収容チャンバー（２）全体の外面に配置されるステップと、
チューブ状の複数の前記区画（３）が有する複数の前記上部接合部（４）を接合して、前記フィルターバッグ（１）の収容チャンバー（２）の１つの上部（１５）を形成するステップと、
をさらに有することを特徴とする作製方法。
【請求項２８】
前記収容チャンバー（２）の前記複数の上部接続部（４）を接合するステップが、前記ウエブ状フィルター紙（１７）上の前記感熱接着材の層の熱による活性化による封着によって行われることを特徴とする請求項２７に記載の作製方法。
【請求項２９】
前記収容チャンバー（２）の前記上部（１５）の角（２３）を前記フィルターバッグ（１）から切除するステップをさらに有することを特徴とする請求項１５〜２８のいずれか１項に記載の作製方法。
【発明の詳細な説明】
【０００１】
【発明の属する技術分野】
本発明は、茶、カミツレ又は類似の草本製品のような浸出用物質を、浸出のための液体に浸漬されるように構成された紙製のフィルターバッグ内へ封入する自動パッケージングに関する。本発明は特に、特殊な構造を有するフィルターバッグ及びその作製方法に関する。
【０００２】
【従来の技術】
最近の市場調査においては、熱による封着（ヒートシール）によって作製される２つの区画を有する収容チャンバーを備えた新たな紙フィルターバッグ（２ローブ式フィルターバッグ（two-lobed filter bags）として知られる）が注目されている。そのフィルターバッグは、フィルター紙を折り曲げてその折り曲げ部を封着することにより作製される。このことは、作製ステップの１つが行われる間にウエブ状の紙に塗布された感熱接着材の層を加熱して活性化させる方法を用いる。
【０００３】
しかし、ヒートシールが可能なフィルター紙から従来の方法を用いて作製されたフィルターバッグは、ある分量の浸出用製品を保持するチャンバーが折り曲げのみにより形成されている、同じ大きさ及び形状のフィルターバッグに比べて重い。
【０００４】
【発明が解決しようとする課題】
紙のコストはその重量に比例するので、ヒートシールが可能なフィルター紙から作製される重いフィルターバッグは、折り曲げのみを用いて作製されるフィルターバッグに比べて、他の条件が同じであれば高価である。フィルターバッグは全体の重量が軽いので、その重量増が僅か数グラムであっても、フィルターバッグ全体のコストに与える影響は大きい。ヒートシール紙から作製されるフィルターバッグを、折り曲げのみから作製されるフィルターバッグと経済的に競合させるためには、ヒートシール紙から作製されるフィルターバッグを、折り曲げのみから作製されるフィルターバッグよりも全体的に小さい大きさにすることが一般的である。
【０００５】
ヒートシール紙から作製されるフィルターバッグが、フィルターバッグの回りにぴったり合うように巻かれた糸に接続されたピックアップタグを備えて作製される場合は、フィルターバッグの大きさを小さくすることは、その糸の有効長が短くなることを意味する。ある種のティーポット又は特に背の高いカップ若しくはグラスの中で浸出を行う場合は、上述の糸長では、浸出中にタグが偶発的にそれら浸出用容器のエッジから滑り落ちて浸出液の中に落ちてしまうことを防止するには不十分である場合がある。タグが浸出液の中に落ちることは、結果として衛生上の問題及びピックアップタグの取出しという問題の少なくとも一方を伴うことは明らかである。
【０００６】
さらに、既知の方法によりヒートシール紙から作製されるフィルターバッグの作製ステップには、糸及びフィルターバッグに少量の接着材（通常はＭｙｌａｒ（登録商標））を使用することが含まれ、それによりバッグの構成要素をコンパクトな構造に保持し、タグがバッグから離れてふらつくことを防止することができる。
【０００７】
ある量の接着材として使用される材料のコストは、フィルターバッグ全体のコストを不利に引上げる。また、バッグ用の接着材のために設計された装置を必要とする複雑な構造のパッケージ用機械のコストもかかる。
【０００８】
本発明の主たる目的は、フィルターバッグの回りにぴったり合う長さとは無関係な長さの糸状部分を有するヒートシール紙から作製されるバッグを提供することにより、上述の不利な点を克服することである。
【０００９】
本発明の他の目的は、接着材（Ｍｙｌａｒ）を使用しないことにより、より経済的なフィルターバッグを提供し、そのバッグを作製する装置をより簡単で安価にすることである。
【００１０】
【課題を解決するための手段】
本発明によると、これら及び他の目的は、ある分量の物質を保持するための、上部接合部及び底部接合部により封着される少なくとも１つの区画を備える収容チャンバーを有する、液体内で浸出するための物質を収容するフィルターバッグにより達成される。フィルターバッグは、フィルターバッグを持ち上げるためのピックアップタグ及び糸状部分を有する。糸状部分は、収容チャンバーの周囲に沿って延びて収容チャンバーの外側に巻かれ、糸の一方の端部はピックアップタグに接続され、もう一方の端部は収容チャンバーの上部に接続される。本発明は、糸状部分が、糸状部分が取付けられる収容チャンバーの周囲よりも長く、糸状部分が有するその周囲を超過する過剰部分が、浸出用物質を収容するチャンバーの外側に寄せ集められることを特徴とする。本発明はまた、そのフィルターバッグの作製方法にも関する。
【００１１】
本発明の技術的特徴は、上述の目的に従って、本願明細書の特許請求の範囲に示される。また本発明の長所は、添付図面を参照しながら、以下の説明にてより明らかになる。これらの図面は、本発明の好適な実施形態を例示するものであり、本発明の思想の範囲を限定するものではない。
【００１２】
【発明の実施の形態】
添付図面を参照すると、図１は、茶、カミツレ又は類似の草本製品のような浸出用物質を収容するフィルターバッグ１の全体を示す。フィルターバッグ１は、基本的には、内容物を収容するチャンバー２と、浸出中は収容チャンバー２を保持するとともにチャンバー２を手で取出すためのピックアップタグ６とを有し、チャンバー２及びタグ６は、糸状部分７により互いに接続される。
【００１３】
収容チャンバー２は、ある分量の内容物のための２つの区画３を有し、２つの区画３は、上部接合部４及び底部接合部５において互いに接合される。
【００１４】
２つの区画３は、互いに対向して重なり合い、Ｖ字形状の折り畳み基礎部１４によって接合される。折り畳み基礎部１４のＶ字の先端は、収容チャンバー２の内側に向いている。
【００１５】
収容チャンバー２の外周には、糸状部分７が巻かれる。糸状部分７は、チャンバーの周囲に沿って延び、糸の一方の端部はピックアップタグ６に接続され、もう一方の端部は収容チャンバー２の上部１５に接続される。
【００１６】
糸状部分７は、糸状部分が取付けられる収容チャンバー２の周囲よりも長い。糸状部分７が有するその周囲を超過する過剰部分８は、糸状部分７の残りの部分に比べて緩い状態であり、残りの部分は、対照的に、収容チャンバー２の周囲に沿って緩みなく張られた状態である。過剰部分８は、浸出用物質を収容するチャンバー２の外側に寄せ集められ、１つ以上の第１巻きループ１０の形状でピックアップタグ６に取付けられる。
【００１７】
図１及び図２より明らかなように、ピックアップタグ６は、共有エッジ３５の回りの回転によって互いに折り重ねられる２つのフラップ９ａ、９ｂを有し、共有エッジ３５は、バッグ１の周囲に沿って巻かれた糸状部分７に平行である。糸７の過剰部分８は、これらのフラップ９ａと９ｂとの間に保持される。
【００１８】
ピックアップタグ６は、糸の過剰部分８に面するフラップ９ａ及び９ｂの面上に接着材の層を有することが好ましい。接着材は、適度な熱によって活性化可能な感熱接着材であり、それによりピックアップタグ６のフラップ９ａ及び９ｂは互いに貼り付けられた状態に保持され、そこにおいて糸状部分７の過剰部分８が規則的な形態で密に寄せ集められる。この保持は、ハンドリング中はパッケージ状態におけるいかなる変化も十分に防止できるものであり、小さな引張力をピックアップタグ６の外側の糸状部分７に加えることによって解除することができる。このことにより、第１ループ１０が巻き戻されて、糸の過剰部分８がバッグ１及びピックアップタグ６から引出される。
【００１９】
過剰部分８に隣接する糸状部分７の自由端３６ａをピックアップタグ６に固定することは、自由端３６ａを、ピックアップタグ６の複数のフラップ３７の間を糸状部分７を横切る方向に通して、複数のフラップ３７を封着することによって達成される。フラップ３７はシールビード３８により内面接続され、糸状部分の自由端３６ａはフラップ３７から突き出てバッグ１の上部１５に向かう。
【００２０】
図２はまた、ピックアップタグ６をシール１３によって収容チャンバー２の側壁１６に接続する方法を示している。シール１３は、感熱接着材の層を、ピックアップタグ６のフラップ９ａの面の１つに使用することにより得られる。すなわちフラップ９ａ及び９ｂは、そのうちの１つが収容チャンバー２に面する。
【００２１】
糸状部分７はまた、ピックアップタグ６に隣接する区画３とは分離された反対側の収容チャンバー２の区画３に収容される第２ループ１１を有する。この第２ループ１１は、区画３から突き出る分岐端１２ａ、１２ｂを有する。一方の分岐端１２ａは上部１５に向かい、もう一方の分岐端１２ｂは収容チャンバー２の底部１４に向かう。上部１５に向かう分岐端１２ａは、区画３の対向する複数の面の間に把持されて固定され、それらの面は、フィルター紙上の感熱接着材の層の熱による活性化によって互いに封着されて接合部４を形成する。区画の壁はこのフィルター紙から作製される。チャンバーの底部１４に向かう分岐端１２ｂは、ピックアップタグ６の固定側とは反対側の側壁１６にある便宜的なスリット２２において、その側壁１６を通り抜けて延びる。
【００２２】
図３に示すように、第２ループ１１の分岐端１２ａ、１２ｂは、糸状部分７を横切る方向に互いに対して移動するので、分岐端１２ａ及び１２ｂに接続された糸状部分７を引っ張ることにより、収容チャンバー２の上部１５に皺が形成され、糸状部分７が上部１５に確実に固定される。
【００２３】
従って、上述のフィルターバッグ１において、糸状部分７の自由端３６ａ及び３６ｂは、２つの上部接合部４において収容チャンバー２の上部１５に固定される。２つの上部接合部４はまた、収容チャンバー２が有する２つの別々の区画３を封着する。
【００２４】
上述のフィルターバッグ１は、収容チャンバー２に吊着されたピックアップタグ６を手で取上げることによる通常の浸出を行うために使用される。しかし、ピックアップタグ６のフラップ９ａと９ｂとの間に寄せ集められた糸の過剰部分８によって、バッグ１の上部１５とピックアップタグ６との間の実際の距離は変更可能であるため、糸状部分７は、浸出が行われるカップ又はグラスの様々な大きさに対して、それぞれの場合について互換性のある長さになるように作製可能である。このことにより、ピックアップタグ６が偶発的に浸出液中に落下するリスクを回避できる。
【００２５】
図４〜図１３は、開示されたフィルターバッグ１を作製する連続したステップを含む操作の流れを示している。これらの図を参照すると、バッグの作製過程は、３つのみの包装材料を、予め定めた送り方向３０に沿って、適切な配置にて互いに平行に送るステップを有することが先ず注目される。これらの材料は、感熱接着材の層を備えたウエブ状フィルター紙１７と、ウエブ状フィルター紙１７の長手方向にかつウエブ状フィルター紙１７に対向して配置された木綿糸３１と、ウエブ状タグ紙３９とを有する。一組のタグ６は、ウエブ状タグ紙３９から連続的に作製され、ウエブ状フィルター紙１７に沿って予め定めた間隔にて配置される。
【００２６】
図４は、送り方向３０に送られるウエブ状タグ紙３９をウエブ３９の中間で先ず縦方向に折り、ウエブ３９の折り曲げを容易にする線２１をウエブ３９上に形成する方法を示している。次に、ウエブ状タグ紙３９は横断方向に切断され、同一平面上にあるフラップ９ａ、９ｂを備えたタグ６が形成される。フラップ９ａ、９ｂは、折線２１によって互いに区切られる。
【００２７】
図５に示すように、タグ６が切断されて糸３１に対して配置された後の作製過程は、適当なフォーク手段によって、１つ以上の第１巻きループ１０を糸３１に形成するステップを有する。第１巻きループ１０は、互いの上に連続して寄せ集められて、糸３１からなる一種の輪を形成する。糸３１の輪は、タグ６が有する開いたフラップ９ａ、９ｂのうちの１つのフラップ９ａの前に配置される。
【００２８】
次のステップにおいて、図６の左側に概略図示されるように、糸３１の輪に接していないタグ６のフラップ９ｂは、折線２１に沿って徐々に折られて、タグ６のフラップ９ａに重ね合わされる。その後に、タグ６の２つのフラップ９ａ、９ｂは、感熱接着材の層の熱による活性化によって、互いに面するように貼り合わされる。
【００２９】
この点において、図６の右側を参照すると、ウエブ状フィルター紙１７（図６においては、タグが取付けられた状態で糸３１の上に示されている）は、紙１７にスリット２２を形成するように切られる。
【００３０】
糸３１は、図７の左側のスリット２２を通って、ウエブ状フィルター紙１７上を延び、第２ループ１１を形成するように動かされる。以降のステップが行われる間は、ループ１１は、フィルター紙上に好都合に局在して熱により再活性化する感熱接着材の層を用いたシールによって、フィルター紙にしっかりと固定される。
【００３１】
同じ操作が行われる間に、タグ６の下方の糸の輪を含むように、フィルター紙をタグ６に取付けるシールもまた形成される。
【００３２】
次にバッグの作製過程において、図７の右側に示されるように、ウエブ状フィルター紙１７を自らに重なるように折るステップが行われる。それにより、初めは互いに反対側にあったエッジ１８が重ね合わされて、チューブ状フィルター紙３４が徐々に形成される。チューブ３４の内部の凹んだ領域は、ループ１１を収容する。チューブ３４が完全に形成される前に、ある分量の２つの浸出用物質１９がウエブ１７上に連続的に乗せられる。
【００３３】
図８の左側及び中央に概略図示されたエッジ１８が完全に重ね合わされると、チューブ３４の長手方向のエッジ１８を、フィルター紙上の感熱接着材の層を熱で活性化させることによるシールによって互いに封着するステップが行われる。図８の右側に示されるように、次のステップが行われる間にチューブ３４は別々の区画３に分割され、区画３の各々は、ある分量の浸出用物質１９を有する。区画３は、封着された複数の対の横断方向接合部２０により、タグ６の上流側及び下流側にそれぞれ形成される。より詳細には、これらの接合部は、区画３を接合する上部接合部４及び底部接合部５を形成し、また糸３１をフィルターバッグ１の収容チャンバー２に固定する。
【００３４】
図９に概略図示されるように、バッグ作製過程の次のステップにおいて、隣接する２つの区画３を有する領域が切断され、チューブ３４から分離される。
【００３５】
図１０に概略図示されるステップにおいては、隣接する２つの区画３が互いに折り重ねられると同時に、収容チャンバー２の基礎部１４に「逆Ｖ字」形状が形成される。
【００３６】
図１２に示されるように、上部が封着されると、区画３が互いに取付けられて、収容チャンバー２が有する単一部材の上部１５を形成する。図１３に示される次のステップにおいては、フィルターバッグ１の上部１５の角２３が切除される。
【００３７】
既述された本発明は、発明思想の範囲から逸脱することなく、修正や変更を行うことができる。さらに、本発明の詳細は全て、技術的に等価な要素に置換可能である。
【図面の簡単な説明】
【図１】本発明に従って作製されたフィルターバッグの側面の拡大図である。
【図２】図１に示されたフィルターバッグの前面図である。
【図３】図２の反対側からみた、図１に示されたフィルターバッグの詳細図である。
【図４】図１〜図３に示されたフィルターバッグの作製方法を具体的に表す連続するステップの概要図である。
【図５】図１〜図３に示されたフィルターバッグの作製方法を具体的に表す連続するステップの概要図である。
【図６】図１〜図３に示されたフィルターバッグの作製方法を具体的に表す連続するステップの概要図である。
【図７】図１〜図３に示されたフィルターバッグの作製方法を具体的に表す連続するステップの概要図である。
【図８】図１〜図３に示されたフィルターバッグの作製方法を具体的に表す連続するステップの概要図である。
【図９】図１〜図３に示されたフィルターバッグの作製方法を具体的に表す連続するステップの概要図である。
【図１０】図１〜図３に示されたフィルターバッグの作製方法を具体的に表す連続するステップの概要図である。
【図１１】図１〜図３に示されたフィルターバッグの作製方法を具体的に表す連続するステップの概要図である。
【図１２】図１〜図３に示されたフィルターバッグの作製方法を具体的に表す連続するステップの概要図である。
【図１３】図１〜図３に示されたフィルターバッグの作製方法を具体的に表す連続するステップの概要図である。
【符号の説明】
１…フィルターバッグ
２…チャンバー
３…区画
６…タグ
７…糸
９ａ、９ｂ…フラップ
１７…ウエブ
３４…チューブ
【図１】
0004057431.tif 000002
【図２】
0004057431.tif 000003
【図３】
0004057431.tif 000004
【図４】
0004057431.tif 000005
【図５】
0004057431.tif 000006
【図６】
0004057431.tif 000007
【図７】
0004057431.tif 000008
【図８】
0004057431.tif 000009
【図９】
0004057431.tif 000010
【図１０】
0004057431.tif 000011
【図１１】
0004057431.tif 000012
【図１２】
0004057431.tif 000013
【図１３】
0004057431.tif 000014